(57)【要約】【課題】場の雰囲気を良好に保ちつつ交通機関に関する情報を通知し得るカラオケ装置を提供する。【解決手段】携帯電話機７０から送信される無線信号を受信するリモコン受信部６２と、その携帯電話機７０内蔵されたＩＣカード１０２に予め記憶された定期券情報を読み取るＩＣカードリーダ６６と、その携帯電話機７０の識別情報を取得する識別情報取得手段１４０と、前記ＩＣカードリーダ６６により読み取られる定期券情報に基づいて交通機関に関する情報を検索する交通機関情報検索手段１４２と、その交通機関情報検索手段１４２により検索された交通機関に関する情報を、前記識別情報取得手段１４０により取得された識別情報に対応する携帯電話機７０に送信する交通機関情報送信手段１４４とを、有することから、携帯電話機７０を媒体として利用者毎の交通機関に関する情報を好適に通知できることに加え、カラオケ演奏を中断させるといった弊害を生じさせない。【選択図】図７
2007256686.tif 000002
【特許請求の範囲】
【請求項１】
多数の演奏曲のうちから選択される所定の演奏曲を出力させるカラオケ装置であって、
携帯電話機から送信される前記演奏曲に関する無線信号を受信する無線受信装置と、
該携帯電話機に予め記憶された定期券情報を読み取る情報読取装置と、
該携帯電話機の識別情報を取得する識別情報取得手段と、
前記情報読取装置により読み取られる定期券情報に基づいて交通機関に関する情報を検索する交通機関情報検索手段と、
該交通機関情報検索手段により検索された交通機関に関する情報を、前記識別情報取得手段により取得された識別情報に対応する携帯電話機に送信する交通機関情報送信手段と
を、有するものであることを特徴とするカラオケ装置。
【請求項２】
前記情報読取装置は、前記携帯電話機からの無線信号の受信開始に際して該携帯電話機に予め記憶された定期券情報を読み取るものである請求項１のカラオケ装置。
【請求項３】
前記識別情報取得手段は、前記携帯電話機からの無線信号の受信開始に際して該携帯電話機の識別情報を取得するものである請求項１又は２のカラオケ装置。
【請求項４】
前記定期券情報は、前記携帯電話機に内蔵されたＩＣカードに記憶されたものであり、前記情報読取装置は、該ＩＣカードに記憶された情報を非接触にて読み取るＩＣカード読取装置である請求項１から３の何れかのカラオケ装置。
【請求項５】
前記識別情報は、前記携帯電話機に内蔵されたＩＣカードに記憶されたものであり、前記識別情報取得手段は、前記ＩＣカード読取装置により該ＩＣカードから非接触にて前記携帯電話機の識別情報を取得するものである請求項４のカラオケ装置。
【請求項６】
前記識別情報取得手段は、前記携帯電話機から送信される無線信号を介して前記無線受信装置により該携帯電話機の識別情報を取得するものである請求項１から４の何れかのカラオケ装置。
【請求項７】
前記無線受信装置により受信される前記携帯電話機からの無線信号に応じて所定の演奏曲の演奏予約を行うと共に、前記交通機関情報検索手段により検索された交通機関に関する情報に基づいて所定時刻以降に対応する演奏曲の予約を禁止する演奏予約制御手段を有するものである請求項１から６の何れかのカラオケ装置。
【請求項８】
前記カラオケ装置は、所定の通信回線を介して情報の送受信を行う通信カラオケ装置であり、
前記交通機関情報検索手段は、前記通信回線に接続された交通機関情報サーバから前記情報読取装置により読み取られた定期券情報に基づく交通機関の時刻に関する情報を検索するものである請求項１から７の何れかのカラオケ装置。
【請求項９】
前記交通機関情報検索手段は、前記通信回線に接続された地図情報サーバから前記情報読取装置により読み取られた定期券情報に基づく交通機関の地図に関する情報を検索するものである請求項８のカラオケ装置。
【請求項１０】
前記交通機関情報検索手段は、前記カラオケ装置の設置された位置情報に基づいて前記交通機関に関する情報を検索するものである請求項８又は９のカラオケ装置。
【発明の詳細な説明】
【技術分野】
【０００１】
本発明は、多数の演奏曲のうちから選択される所定の演奏曲を出力させるカラオケ装置に関し、特に、交通機関に関する情報を利用者に通知する技術の改良に関する。
【背景技術】
【０００２】
複数の演奏曲のうちから選択される所定の演奏曲を出力させるカラオケ装置が知られている。例えば、カラオケボックス等で使用される多数の演奏曲のうちから選択される所定の演奏曲を出力させると共に所定の通信回線を介して情報を取得する通信カラオケ装置がそれである。斯かる通信カラオケ装置によれば、予め記憶装置に記憶された複数の演奏曲から選択された所定の演奏曲の音楽情報を出力させると共に、その演奏曲の歌詞情報を含む映像をその出力に同期して画面に表示させることで、所望の歌のカラオケ演奏を楽しむことができる。また、上記通信回線を介して随時新しい情報をダウンロードすることで、最新の演奏曲のカラオケ演奏を利用に供することができる。
【０００３】
ところで、特にカラオケボックスやスナック等の店舗におけるカラオケ演奏では、最終電車や最終バス等、交通機関の時刻を気にしなければならない状況が考えられる。そこで、カラオケ装置の映像表示装置に斯かる交通機関の時刻に関する情報を表示させる技術が提案されている。例えば、特許文献１に記載されたカラオケ装置がそれである。このカラオケ装置は、最終電車の時刻等、時刻に関する情報を予め登録しておくことで、その時刻が到来したときカラオケ演奏を中断してその時刻が到来した旨をアラームにより通知するものであり、斯かる技術により、最終電車が近い利用者でも安心してカラオケ演奏を楽しむことができるとされている。
【０００４】
【特許文献１】特開平１０−３０１５８７号公報
【発明の開示】
【発明が解決しようとする課題】
【０００５】
しかし、前述した従来の技術のように、交通機関の時刻が到来したときカラオケ演奏を中断して通知するものでは、その中断により場の雰囲気が白けてしまう可能性があり実用には適さなかった。また、カラオケ演奏を中断せず交通機関に関する情報を視覚的に表示させるものであっても、その表示の態様によっては場の雰囲気を悪化させることが考えられる。すなわち、場の雰囲気を良好に保ちつつ交通機関に関する情報を通知し得るカラオケ装置は、未だ開発されていないのが現状である。
【０００６】
本発明は、以上の事情を背景として為されたものであり、その目的とするところは、場の雰囲気を良好に保ちつつ交通機関に関する情報を通知し得るカラオケ装置を提供することにある。
【課題を解決するための手段】
【０００７】
斯かる目的を達成するために、本発明の要旨とするところは、多数の演奏曲のうちから選択される所定の演奏曲を出力させるカラオケ装置であって、携帯電話機から送信される前記演奏曲に関する無線信号を受信する無線受信装置と、その携帯電話機に予め記憶された定期券情報を読み取る情報読取装置と、その携帯電話機の識別情報を取得する識別情報取得手段と、前記情報読取装置により読み取られる定期券情報に基づいて交通機関に関する情報を検索する交通機関情報検索手段と、その交通機関情報検索手段により検索された交通機関に関する情報を、前記識別情報取得手段により取得された識別情報に対応する携帯電話機に送信する交通機関情報送信手段とを、有するものであることを特徴とするものである。
【発明の効果】
【０００８】
このようにすれば、携帯電話機から送信される前記演奏曲に関する無線信号を受信する無線受信装置と、その携帯電話機に予め記憶された定期券情報を読み取る情報読取装置と、その携帯電話機の識別情報を取得する識別情報取得手段と、前記情報読取装置により読み取られる定期券情報に基づいて交通機関に関する情報を検索する交通機関情報検索手段と、その交通機関情報検索手段により検索された交通機関に関する情報を、前記識別情報取得手段により取得された識別情報に対応する携帯電話機に送信する交通機関情報送信手段とを、有することから、携帯電話機を媒体として利用者毎の交通機関に関する情報を好適に通知できることに加え、カラオケ演奏を中断させるといった弊害を生じさせない。すなわち、場の雰囲気を良好に保ちつつ交通機関に関する情報を通知し得るカラオケ装置を提供することができる。
【０００９】
ここで、好適には、前記情報読取装置は、前記携帯電話機からの無線信号の受信開始に際してその携帯電話機に予め記憶された定期券情報を読み取るものである。このようにすれば、前記カラオケ装置の入力装置として利用される携帯電話機から簡便にその定期券情報を読み取ることができるという利点がある。
【００１０】
また、好適には、前記識別情報取得手段は、前記携帯電話機からの無線信号の受信開始に際してその携帯電話機の識別情報を取得するものである。このようにすれば、前記カラオケ装置の入力装置として利用される携帯電話機から簡便にその識別情報を取得できるという利点がある。
【００１１】
また、好適には、前記定期券情報は、前記携帯電話機に内蔵されたＩＣカードに記憶されたものであり、前記情報読取装置は、そのＩＣカードに記憶された情報を非接触にて読み取るＩＣカード読取装置である。このようにすれば、前記携帯電話機に記憶された定期券情報を実用的な態様で読み取ることができるという利点がある。
【００１２】
また、好適には、前記識別情報は、前記携帯電話機に内蔵されたＩＣカードに記憶されたものであり、前記識別情報取得手段は、前記ＩＣカード読取装置によりそのＩＣカードから非接触にて前記携帯電話機の識別情報を取得するものである。このようにすれば、前記携帯電話機の識別情報を実用的な態様で取得できるという利点がある。
【００１３】
また、好適には、前記識別情報取得手段は、前記携帯電話機から送信される無線信号を介して前記無線受信装置によりその携帯電話機の識別情報を取得するものである。このようにすれば、前記携帯電話機の識別情報を実用的な態様で取得できるという利点がある。
【００１４】
また、好適には、前記無線受信装置により受信される前記携帯電話機からの無線信号に応じて所定の演奏曲の演奏予約を行うと共に、前記交通機関情報検索手段により検索された交通機関に関する情報に基づいて所定時刻以降に対応する演奏曲の予約を禁止する演奏予約制御手段を有するものである。このようにすれば、前記交通機関情報検索手段により検索された交通機関の時刻に応じて演奏予定時刻が所定時刻以降になる演奏曲の予約を禁止するというように、交通機関に関する情報を間接的且つ実用的な態様で利用者に通知できるという利点がある。
【００１５】
また、好適には、前記カラオケ装置は、所定の通信回線を介して情報の送受信を行う通信カラオケ装置であり、前記交通機関情報検索手段は、前記通信回線に接続された交通機関情報サーバから前記情報読取装置により読み取られた定期券情報に基づく交通機関の時刻に関する情報を検索するものである。このようにすれば、利用者毎の交通機関の時刻に関する情報を実用的な態様で通知できるという利点がある。
【００１６】
また、好適には、前記交通機関情報検索手段は、前記通信回線に接続された地図情報サーバから前記情報読取装置により読み取られた定期券情報に基づく交通機関の地図に関する情報を検索するものである。このようにすれば、利用者毎の交通機関の地図に関する情報を実用的な態様で通知できるという利点がある。
【００１７】
また、好適には、前記交通機関情報検索手段は、前記カラオケ装置の設置された位置情報に基づいて前記交通機関に関する情報を検索するものである。このようにすれば、前記カラオケ装置の位置は地理的に固定されているため、前記携帯電話機にＧＰＳ（Global Positioning System）等の位置検索装置が内蔵されていない場合であっても、利用者毎の交通機関の時刻や地図に関する情報を実用的な態様で通知できるという利点がある。
【００１８】
以下、本発明の好適な実施例を図面に基づいて詳細に説明する。
【実施例】
【００１９】
図１は、本発明が好適に適用されるカラオケシステム１０を説明する概略図である。この図１に示すように、本実施例のカラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）の本発明の一実施例であるカラオケ装置１６ａ、１６ｂ、１６ｃ、・・・（以下、特に区別しない場合には単にカラオケ装置１６と称する）が設置されている。これら複数のカラオケ装置１６のうち、マスターコマンダである所定のカラオケ装置１６ａは、公衆電話回線等による通信回線１８を介してカラオケサービス提供会社のカラオケサーバ２０に接続されており、そのカラオケサーバ２０と上記カラオケ装置１６ａの相互間で情報の通信が可能とされている。このカラオケサーバ２０は、カラオケ情報、背景映像情報、曲間情報等のデジタルコンテンツ（Digital Contents）の保管や入出力管理の基本的な制御を行うサーバであり、上記通信回線１８を介してマスターコマンダであるカラオケ装置１６ａに定期的にコンテンツの配信を行うと共に、そのカラオケ装置１６ａからの要求に応じて所定の機能制御プログラムを送信するものである。また、交通機関の時刻に関する情報を記憶する交通機関情報サーバ２１及び地図に関する情報を記憶する地図情報サーバ２２が上記通信回線１８に接続されており、上記カラオケ装置１６ａは、その通信回線１８を介して斯かる交通機関情報サーバ２１及び地図情報サーバ２２との間で情報の送受信が可能とされている。また、上記カラオケシステム１０は、複数の電子早見本装置２８ａ、２８ｂ、２８ｃ、・・・（以下、特に区別しない場合には単に電子早見本装置２８と称する）を備えており、上記カラオケ装置１６の利用に際して、各利用者（グループ）毎に１台ずつの電子早見本装置２８が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２８からのカラオケ装置１６への入力は、所定のアクセスポイント２６及びＬＡＮ２４を介したＬＡＮ通信等により行われる。
【００２０】
図２は、上記カラオケ装置１６の構成を例示するブロック線図である。この図２に示すように、上記カラオケ装置１６は、ＣＲＴ等の映像表示装置３０と、ＣＲＴコントローラ等の映像出力部３２と、映像情報デコーダ３４と、ビデオミキサ３６と、音源であるシンセサイザ３８と、音声入力装置であるマイクロフォン４０と、アンプミキサ４２と、スピーカ４４と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記電子早見本装置２８や携帯電話機７０等の入力装置からのリモコン信号を受信するためのリモコン受信部６２と、ブルートゥース通信部６４と、ＩＣカードリーダ６６とを、備えて構成されている。
【００２１】
上記ＣＰＵ５０は、上記ＲＡＭ５４の一時記憶機能を利用しつつ上記ＲＯＭ５２に予め記憶された所定のプログラムに基づいて電子情報を処理・制御する所謂コンピュータであり、上記電子早見本装置２８や携帯電話機７０等により所定のカラオケ演奏曲が選曲された場合、その選曲されたカラオケ演奏曲を上記ＲＡＭ５４に設けられた予約曲テーブル５５に登録したり、その予約曲テーブル５５の演奏順に従って上記ハードディスク５６から上記ＲＡＭ５４に選曲されたカラオケ演奏曲の演奏情報及び歌詞情報等を読み出したり、カラオケ演奏曲の演奏が進行するのに応じてそのＲＡＭ５４から上記シンセサイザ３８へ演奏情報を送信したり、歌詞情報に基づいて歌詞文字映像を生成して上記映像出力部３２へ送ったり、選曲時には曲名文字映像を生成して上記映像出力部３２へ送ったり、上記映像情報デコーダ３４を制御して所定の背景映像を再生させたり、カラオケ演奏が行われていない間すなわち曲間において、新譜情報、選曲ランキング、店舗広告等の曲間情報を出力させたり、上記ブルートゥース通信部６４を介して他のブルートゥースモジュールとの間でブルートゥース通信を行ったり、上記ＩＣカードリーダ６６を介してＩＣカードの読み取りを行ったり、前記通信回線１８を介した前記カラオケサーバ２０との間の情報通信制御等の基本的な制御に加え、後述する交通機関情報通知制御等を実行する。
【００２２】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４６の一部機能を遠隔で実行するための入力装置として機能するリモコン装置６８が備えられており、前記リモコン受信部６２は、そのリモコン装置６８から送信される無線信号としてのリモコン信号を受信して前記ＣＰＵ５０へ供給する。また、リモコン送信機能やブルートゥース通信機能を備えた携帯電話機７０も同様に前記カラオケ装置１６の入力装置として機能し、前記リモコン受信部６２は、斯かる携帯電話機７０から送信される無線信号としてのリモコン信号を受信して前記ＣＰＵ５０へ供給する。すなわち、前記リモコン受信部６２は、携帯電話機７０から送信される無線信号としてのリモコン信号を受信する無線受信装置である。また、前記カラオケ装置１６と電子早見本装置２８との対応付け（くくりつけ）処理も前記リモコン受信部６２を介して行われ、そのようにして前記カラオケ装置１６に対応付けられた電子早見本装置２８も同様に入力装置として機能する。
【００２３】
前記映像出力部３２は、前記ＣＰＵ５０において生成された歌詞文字映像等の文字映像（テロップ）を出力する文字映像出力装置として機能する他、前記映像表示装置３０による種々の映像表示を制御する映像表示制御装置である。また、前記映像情報デコーダ３４は、利用者が歌詞を参照しながら歌を歌う際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサへ送られる。また、前記ビデオミキサ３６は、前記ＣＰＵ５０において生成され且つ前記映像出力部３２から出力される文字映像と、前記映像情報デコーダ３４により再生される背景映像とを合成して前記映像表示装置３０に表示させる映像合成装置である。
【００２４】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者の歌声とがミキシングされ、それらの信号が電気的に増幅されて前記スピーカ４４から出力される。
【００２５】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、このモデム５８は、マスターコマンダとして機能するカラオケ装置１６ａには必要とされるが、前記カラオケサーバ２０との間で情報の通信を行わない他のカラオケ装置１６には必ずしも設けられなくともよい。すなわち、本実施例のカラオケシステム１０において、前記カラオケ装置１６ａ以外のカラオケ装置１６ｂ、１６ｃ、・・・は、マスターコマンダであるカラオケ装置１６ａを介して前記カラオケサーバ２０等との間における情報の通信を行う。
【００２６】
前記ＬＡＮポート６０は、前記カラオケ装置１６をＬＡＮ２４を介して他のカラオケ装置１６や電子早見本装置２８等の他の機器に接続するための接続器であり、前記カラオケ装置１６は、そのようにＬＡＮ２４を介して接続されることで、他のカラオケ装置１６や電子早見本装置２８等の他の機器との間で情報の送受信が可能とされる。例えば、前記アクセスポイント２６により受け付けられる前記電子早見本装置２８からの選曲入力を受け付けたり、前記カラオケ装置１６から電子早見本装置２８へ所定の情報を送信したりというように、電波を介して前記カラオケ装置１６と電子早見本装置２８との間における相互の情報のやりとりが実行される。
【００２７】
前記ブルートゥース通信部６４は、同様にブルートゥース通信部を有する通信式情報端末である携帯電話機７０やＰＤＡ（Personal Display Connector）等から送信されたブルートゥース信号を受信して前記ＣＰＵ５０へ供給すると共に、そのＣＰＵ５０から出力されたブルートゥース信号を送信するブルートゥースモジュールであり、無線信号としてのブルートゥース信号を介して情報の送受信を行う無線通信装置である。前記携帯電話機７０を入力装置としての前記カラオケ装置１６への入力はこのブルートゥース信号を介しても行われ、すなわち前記ブルートゥース通信部６４は、携帯電話機７０から送信される無線信号を受信する無線受信装置として機能する。
【００２８】
前記ＩＣカードリーダ６６は、例えばよく知られたＲＦＩＤ（Radio Frequency Identification）システムにおける質問器に対応するものであり、所定の波長帯の電波信号（無線信号）を介して応答器に対応するＩＣカード（例えば、携帯電話機７０に内蔵されたＩＣカード１０２）に記憶された情報を非接触にて読み出す。すなわち、前記ＩＣカードリーダ６６から質問波（送信信号）がＩＣカードに向けて送信されると、その質問波を受信したそのＩＣカードにおいて所定の情報信号（データ）によりその質問波が変調され、応答波（返信信号）として前記ＩＣカードリーダ６６に向けて返信されることで、そのＩＣカードリーダ６６とＩＣカードとの間で情報の通信が行われる。斯かる情報の通信によって、前記ＩＣカードリーダ６６によりそのＩＣカードに記憶された情報が読み出され、前記ＣＰＵ５０等に供給される。
【００２９】
前記ハードディスク５６には、カラオケ演奏曲を出力させるための多数のカラオケ情報を記憶するカラオケデータベース等の各種データベースが設けられている。カラオケボックス等の店舗にそれぞれ備えられた複数のカラオケ装置１６のうちマスターコマンダとして機能するカラオケ装置１６ａは、前記モデム５８を介して前記通信回線１８に接続されており、前記複数のカラオケ装置１６によって常に新しい曲が演奏可能とされるように、随時新たなカラオケ情報等が前記カラオケサーバ２０から前記通信回線１８を介して配信され、前記ハードディスク５６のカラオケデータベース等に記憶される。また、そのようにして前記カラオケサーバ２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、カラオケデータベース等の内容が等価なものとされる。
【００３０】
図３は、前記カラオケ装置１６の入力装置として用いられ得る携帯電話機７０の構成を例示するブロック線図である。この図３に示すように、前記携帯電話機７０は、制御部７２と、読出専用メモリであるＲＯＭ７４と、操作部７６と、表示部７８と、アンテナ８０と、送受信部８２と、モデム部８４と、音声コーディック部８６と、アナログフロントエンド８８と、スピーカ９０と、マイクロフォン９２と、フラッシュＲＯＭ等の記憶部９４と、音源部９６と、リモコン送信部９８と、ブルートゥース通信部１００と、ＩＣカード１０２とを、備えて構成されている。
【００３１】
上記制御部７２は、上記ＲＯＭ７４に予め記憶されたプログラムに従って入力信号を処理するマイクロコンピュータであり、所定の文字ボタン等を備えた操作部７６からの入力に従って文字入力が実行されるように制御したり、その操作部７６から入力された電話番号に従って通信或いは通話チャンネルを成立させると共に相互の通信或いは通話が可能となるように制御したり、その操作部７６から入力されたＵＲＬに従って所定のウェブサイトにアクセスしたり、メールの作成及び送受信を制御する等の基本的な制御に加えて、後述する上記リモコン送信部９８やブルートゥース通信部１００を介しての前記カラオケ装置１６への選曲入力をはじめとする入力制御や、そのカラオケ装置１６から送信される交通機関情報に基づいて上記表示部７８に所定の映像を表示させる表示制御等を実行する。
【００３２】
前記携帯電話機７０の通話状態においては、アンテナ８０を介して送受信部８２に受けた通話信号等がモデム部８４を介して音声コーディック部８６においてデジタルコード信号から音声信号に変換され、アナログフロントエンド８８により音声出力装置であるスピーカ９０が駆動されて音声が出力される。同時に、音声入力装置であるマイクロフォン９２により音声から変換された音声信号が上記アナログフロントエンド８８を介して上記音声コーディック部８６に送られてそこでデジタル信号に変換され、上記モデム部８４、送受信部８２、及びアンテナ８０を介して送信される。また、通信状態において、上記制御部７２は、上記操作部７６から入力された信号を通信先へ送信すると同時に、通信先から受信された信号を表示部７８に表示させる。また、他の通信端末からの着信があったと判定される場合には、前記記憶部９４に設けられた着信メロディデータベースに予め記憶された音楽情報としてのメロディ情報を読み出し、その着信メロディ情報に基づいて前記音源部９６により所定のメロディ（呼出音）を発生させて前記スピーカ９０から出力させたり、呼出音非出力モードにおいては図示しないバイブレータを駆動させて振動を発生させたりする。ここで、上記着信メロディ情報は、例えば、ＭＩＤＩ形式の音楽情報であり、前記音源部９６は、そのＭＩＤＩデータに基づいて演奏音を発生させるＭＩＤＩ音源である。
【００３３】
前記ブルートゥース通信部１００は、同様にブルートゥース通信部を有する前記カラオケ装置１６等から送信されたブルートゥース信号を受信して前記制御部７２へ供給すると共に、その制御部７２から出力されたブルートゥース信号を送信するブルートゥースモジュールであり、無線信号としてのブルートゥース信号を介して情報の送受信を行う無線通信装置である。前記携帯電話機７０を入力装置としての前記カラオケ装置１６への入力はこのブルートゥース信号を介しても行われ、すなわち前記ブルートゥース通信部１００は、前記カラオケ装置１６へ無線信号を送信する無線送信装置として機能する。
【００３４】
前記ＩＣカード１０２は、よく知られたＲＦＩＤシステムにおける応答器として機能するものであり、所定の波長帯の電波信号（無線信号）に応じて記憶内容に基づく応答波（返信信号）を返信する。このために、前記ＩＣカード１０２には、電波信号を送受信するためのアンテナ、所定の情報を記憶するための記憶部、及び変調及び復調等を行う制御部等の構成が備えられている。前記ＩＣカード１０２が前記ＩＣカードリーダ６６からの質問波（送信信号）を受信すると、所定の情報信号（データ）によりその質問波が変調され、応答波（返信信号）として前記ＩＣカードリーダ６６に向けて返信される。斯かる情報の通信によって、前記ＩＣカードリーダ６６によりそのＩＣカードに記憶された情報が読み出される。また、前記ＩＣカード１０２は、好適には、所定のＩＣカードライタによる情報の書き込みが可能とされており、上記電波信号を介しての無線通信により前記ＩＣカード１０２の記憶内容が変更できるようになっている。また、前記ＩＣカード１０２の記憶部には、電車やバス等の交通機関の定期券情報が記憶され得るようになっており、交通機関の改札等に備えられたＩＣカードリーダによりその記憶部に記憶された定期券情報が読み出されることにより、その交通機関における所謂定期券として利用可能とされている。
【００３５】
図３に示すように、前記制御部７２には、所定のアプリケーションがインストールされることでリモコン信号送信手段１０４及び交通機関情報表示制御手段１０６が機能的に備えられている。このリモコン信号送信手段１０４は、前記カラオケ装置１６に対して選曲入力や各種調整を行うためのリモコン信号をリモコン送信部９８を介して送信する。このように、前記携帯電話機７０は、前記カラオケシステム１０において前記カラオケ装置１６の操作パネル４６の一部機能を遠隔で実行するための入力装置として機能する。また、上記交通機関情報表示制御手段１０６は、前記カラオケ装置１６から送信されて前記ブルートゥース通信部１００等により受信される交通機関情報例えば交通機関の時刻及び地図に関する情報に基づいて後述する図８に示すような映像を前記表示部７８に表示させる映像表示制御を行う。また、前記携帯電話機７０は、前記ブルートゥース通信部１００によるブルートゥース通信を介して前記カラオケ装置１６への情報の入力を行うものであってもよい。更に、このブルートゥース通信部１００により前記カラオケ装置１６から送信される信号を受信することも可能である。
【００３６】
図４は、前記カラオケサーバ２０の構成を、図５は、前記交通機関情報サーバ２１の構成を、図６は、前記地図情報サーバ２２の構成をそれぞれ説明する図である。これらの図に示すように、本実施例では、説明の便宜上、前記カラオケサーバ２０、交通機関情報サーバ２１、及び地図情報サーバ２２が中央演算処理装置等の要素を等しくする同一型式のデータベースサーバである態様について説明する。すなわち、前記カラオケサーバ２０、交通機関情報サーバ２１、及び地図情報サーバ２２は、中央演算処理装置であるＣＰＵ１１０により随時書込読出メモリであるＲＡＭ１１４の一時記憶機能を利用しつつ読出専用メモリであるＲＯＭ１１２に予め記憶されたプログラムに従って信号処理を行う所謂ノイマン式コンピュータである。また、ＣＲＴ等の映像表示装置１１６と、その映像表示装置１１６による映像の表示を制御するためのＣＲＴコントローラ１１８と、キーボード等の入力装置１２０と、その入力装置１２０による入力を処理するためのインターフェイス１２２と、上記ＣＰＵ１１０等を前記通信回線１８に接続するためのモデム１２４と、ハードディスク等の記憶装置１２６とを、備えて構成されている。
【００３７】
また、図４に示すように、前記カラオケサーバ２０の記憶装置１２６には、前記カラオケ装置１６に配信するための多数のカラオケ情報を記憶するカラオケデータベース１２８が設けられている。このカラオケデータベース１２８には、前記カラオケ装置１６によるカラオケ演奏に用いられるカラオケ情報として、曲名及びアーティスト名（歌手名）等を含むヘッダ情報、演奏情報であるＭＩＤＩデータ、及び歌詞情報等が選曲番号をインデックスとして各演奏曲毎に記憶されている。前記カラオケサーバ２０は、前記カラオケ装置１６との間で随時通信を行うことによりこのカラオケデータベース１２８に記憶された新たなカラオケ情報を前記カラオケ装置１６へ配信する。このようにして、前記カラオケ装置１６のハードディスク５６に設けられたカラオケデータベースの内容が随時新たなものに更新され、そのカラオケ装置１６により最新のカラオケ情報に基づくカラオケ演奏が可能とされる。
【００３８】
また、図５に示すように、前記交通機関情報サーバ２１の記憶装置１２６には、交通機関の時刻に関する情報を記憶する時刻情報データベース１３０が設けられている。この時刻情報データベース１３０には、例えば電車、地下鉄、バス、路面電車、モノレール、リニアモーターカー等の公共交通機関の時刻に関する情報としてそれら交通機関の時刻表（発着時刻を示すテーブル）やダイヤグラム等が記憶されている。この時刻情報データベース１３０は、前記通信回線１８を介して所定のアクセス権限を有する通信端末（乃至は任意の通信端末）によりアクセス可能に構成されており、それら通信端末により上記時刻情報データベース１３０に記憶された情報が適宜取得（ダウンロード）できるようになっている。
【００３９】
また、図６に示すように、前記地図情報サーバ２２の記憶装置１２６には、所定地域乃至は全国の地図情報を記憶する地図情報データベース１３２が設けられている。この地図情報データベース１３２には、少なくとも各地域における電車、地下鉄、バス、路面電車、モノレール、リニアモーターカー等の公共交通機関の地理的位置すなわち座標（緯度及び軽度）に関する情報を含む地図情報が記憶されている。この地図情報データベース１３２は、前記通信回線１８を介して所定のアクセス権限を有する通信端末（乃至は任意の通信端末）によりアクセス可能に構成されており、それら通信端末により上記地図情報データベース１３２に記憶された情報が適宜取得できるようになっている。
【００４０】
図７は、前記カラオケ装置１６のＣＰＵ５０に備えられた制御機能の要部を説明する機能ブロック線図である。この図７に示す識別情報取得手段１４０は、前記カラオケ装置１６の入力装置として用いられる前記携帯電話機７０の識別情報を取得する。この識別情報とは、例えばＵＩＤ（電話番号と関連付けられた携帯電話機の個体識別番号）等であり、好適には、前記携帯電話機７０のリモコン送信部９８から送信されるリモコン信号に含まれるものである。斯かる態様において、上記識別情報取得手段１４０は、好適には、前記携帯電話機７０からのリモコン信号の受信開始に際してそのリモコン信号に含まれる識別情報を前記リモコン受信部６２を介して取得する。また、上記識別情報は、好適には、前記携帯電話機７０のブルートゥース通信部１００から送信されるブルートゥース信号に含まれるものである。斯かる態様において、上記識別情報取得手段１４０は、好適には、前記携帯電話機７０からのブルートゥース信号の受信開始に際してそのブルートゥース信号に含まれる識別情報を前記ブルートゥース通信部６４を介して取得する。また、上記識別情報は、好適には、前記携帯電話機７０に内蔵されたＩＣカード１０２に記憶されたものであり、上記識別情報取得手段１４０は、好適には、前記携帯電話機７０の入力装置としての使用開始に際して前記ＩＣカードリーダ６８によりそのＩＣカード１０２から非接触にて前記携帯電話機７０の識別情報を取得する。このようにして取得された各携帯電話機７０の識別情報は、前記ＲＡＭ５４等に記憶される。また、後述する演奏予約制御等に際しても必要に応じて前記携帯電話機７０の識別情報が取得される。
【００４１】
交通機関情報検索手段１４２は、前記ＩＣカードリーダ６６により前記携帯電話機７０のＩＣカード１０２から読み取られる定期券情報に基づいて交通機関に関する情報を検索する。好適には、前記通信回線１８に接続された交通機関情報サーバ２１の時刻情報データベース１３０から前記ＩＣカードリーダ６６により読み取られた定期券情報に基づく交通機関の時刻に関する情報、特にその日における最終時刻（最終電車、最終バス等、その日における最後の発車時刻）を検索する。この検索は、好適には、前記カラオケ装置１６の識別情報と対応付けられたそのカラオケ装置１６の設置された地理的位置すなわち座標（緯度及び軽度）に関する情報に基づいて行われる。例えば、前記ＩＣカードリーダ６６により前記携帯電話機７０のＩＣカード１０２から定期券情報が読み取られると、前記通信回線１８に接続された地図情報サーバ２２の地図情報データベース１３２が参照される等して、その定期券情報において往復区間とされている公共交通機関の種類、路線、駅等と、前記カラオケ装置１６の位置情報とが対比され、そのカラオケ装置１６の設置された店舗１２から帰宅するまでの行程においてその携帯電話機７０の持ち主である利用者が用いるべき交通機関及び最寄り駅が検索され、更にその最寄り駅における最終時刻が検索される。また、前記ＩＣカード１０２に記憶された定期券情報が複数の交通機関にまたがるものである場合、すなわち複数の定期券情報を含むものである場合には、それら複数の交通機関を勘案しての実質的な最終時刻、例えば利用者が帰宅するために前記店舗１２の最寄り駅において乗車すべき時刻（その日における最終の発車時刻とは限らない）が検索される。このようにして検索された交通機関の時刻に関する情報は、前記通信回線１８を介してダウンロードされ、前記ＲＡＭ５４等にその検索主体である携帯電話機７０の識別情報と関連付けられて記憶される。
【００４２】
また、上記交通機関情報検索手段１４２は、好適には、前記通信回線１８に接続された地図情報サーバ２２から前記ＩＣカードリーダ６６により読み取られた定期券情報に基づく交通機関の地図に関する情報を検索する。この検索は、好適には、前記カラオケ装置１６の識別情報と対応付けられたそのカラオケ装置１６の設置された地理的位置すなわち座標（緯度及び軽度）に関する情報に基づいて行われる。例えば、前記ＩＣカードリーダ６６により前記携帯電話機７０のＩＣカード１０２から定期券情報が読み取られると、前記通信回線１８に接続された地図情報サーバ２２の地図情報データベース１３２が参照される等して、その定期券情報において往復区間とされている公共交通機関の種類、路線、駅等と、前記カラオケ装置１６の位置情報とが対比され、そのカラオケ装置１６の設置された店舗１２から帰宅するまでの行程においてその携帯電話機７０の持ち主である利用者が用いるべき交通機関及び最寄り駅が検索され、更に前記カラオケ装置１６の位置すなわちそのカラオケ装置１６が設置された店舗１２からその最寄り駅までの地図が検索される。このようにして検索された交通機関の地図に関する情報は、前記通信回線１８を介してダウンロードされ、前記ＲＡＭ５４等にその検索主体である携帯電話機７０の識別情報と関連付けられて記憶される。また、上記交通機関情報検索手段１４２は、最も好適には、前記交通機関情報サーバ２１の時刻情報データベース１３０及び地図情報サーバ２２の地図情報データベース１３２を同期して照会することにより、前記定期券情報に基づく交通機関の時刻及び地図に関する情報を複合的に検索する。
【００４３】
交通機関情報送信手段１４４は、前記交通機関情報検索手段１４２により検索された交通機関に関する情報を、前記識別情報取得手段１４０により取得された識別情報に対応する携帯電話機７０に送信する。例えば、前記ＲＡＭ５４等に識別情報と関連付けられて記憶されている交通機関の時刻や地図に関する情報を前記ブルートゥース通信部６４等を介してその識別情報により識別される携帯電話機７０へ送信する。この送信は、前記交通機関情報検索手段１４２による検索が行われた直後に実行されるものであってもよいし、その検索から所定時間経過後に実行されるものであってもよい。また、前記交通機関情報検索手段１４２により検索された交通機関の時刻に関する情報に基づいて、例えば交通機関の最終時刻の所定時間前に斯かる送信を実行するものであってもよい。この交通機関情報送信手段１４４による送信対象となる情報は、前記携帯電話機７０の制御部７２に備えられた交通機関情報表示制御手段１０６を介して前記表示部７８に図８に示すような交通機関情報映像１５０を表示させるためのものであり、前記時刻情報データベース１３０や地図情報データベース１３２からダウンロードされた情報をそのまま送信するものであってもよいし、所定のファイル形式に変換して送信するものであってもよい。また、前記通信回線１８を介して電子メール等の形式により前記携帯電話機７０に送信するものであっても構わない。
【００４４】
演奏予約制御手段１４６は、前記携帯電話機７０からの無線信号に応じて所定の演奏曲の演奏予約を行う。具体的には、前記リモコン受信部６２により受信されるリモコン信号により示される演奏曲の選曲番号を前記ＲＡＭ５４の予約曲テーブル５５に予約する。或いは、前記ブルートゥース通信部６４により受信されるブルートゥース信号により示される演奏曲の選曲番号を前記ＲＡＭ５４の予約曲テーブル５５に予約する。このようにして前記予約曲テーブル５５に予約された演奏曲は、その予約曲テーブル５５の演奏順に従って順次演奏に供され、前記シンセサイザ３８等を介して出力される。
【００４５】
演奏予定時刻算出手段１４８は、新たな予約の対象となる演奏曲の演奏予定時刻を算出する。すなわち、前記予約曲テーブル５５に予約された演奏曲及び新たな予約の対象となる演奏曲の演奏順等に基づいて、その新たな予約に係る演奏曲が出力される予定時刻を算出する。最も簡単には、その新たな予約が行われる時点において前記予約曲テーブル５５に記憶されているすべての演奏曲の累計演奏時間（曲時間）を算出し、その時点における時刻からその累計演奏時間だけ進ませた時刻を新たな予約の対象となる演奏曲の演奏予定時刻として算出する。
【００４６】
前記演奏予約制御手段１４６は、好適には、前記交通機関情報検索手段１４２により検索された交通機関に関する情報に基づいて所定時刻以降に対応する演奏曲の予約を禁止する（すなわち予約を行わない）。例えば、前記交通機関情報検索手段１４２により検索された交通機関の時刻に関する情報特に最終時刻と、上記演奏予定時刻算出手段１４８により算出された新たな予約の対象となる演奏曲の演奏予定時刻とを対比して、その演奏予定時刻の方が遅い場合には斯かる演奏曲の予約を禁止する。またここで、前記交通機関情報検索手段１４２により検索される最寄り駅までの距離乃至はその駅まで徒歩でかかる時間等を勘案してもよい。このようにして演奏予約制御手段１４６により演奏曲の予約が禁止された場合には、予約を行った携帯電話機７０へその予約が禁止された旨の情報が前記ブルートゥース通信部６４等を介して送信される。
【００４７】
図９は、前記カラオケ装置１６のＣＰＵ５０による交通機関情報通知制御について説明するフローチャートであり、所定の周期で繰り返し実行されるものである。
【００４８】
先ず、ステップ（以下、ステップを省略する）ＳＡ１において、前記携帯電話機７０がログインされたか否か、すなわち前記ＩＣカードリーダ６６により所定のＩＣカード１０２が検出されたか否かが判断される。このＳＡ１の判断が否定される場合には、それをもって本ルーチンが終了させられるが、ＳＡ１の判断が肯定される場合には、前記識別情報取得手段１４０の動作に対応するＳＡ２において、前記ＩＣカードリーダ６６により前記ＩＣカード１０２に記憶された前記携帯電話機７０の識別情報が読み出される。次に、ＳＡ３において、前記ＩＣカードリーダ６６により前記ＩＣカード１０２に記憶された定期券情報が読み出される。次に、ＳＡ４において、前記ＩＣカード１０２から定期券情報が読み出されたか否か、すなわちそのＩＣカード１０２に定期券情報が記憶されていたか否かが判断される。このＳＡ４の判断が否定される場合には、それをもって本ルーチンが終了させられるが、ＳＡ４の判断が肯定される場合には、ＳＡ５において、ＳＡ２にて読み出された識別情報及びＳＡ３にて読み出された定期券情報が相互に関連付けられて前記ＲＡＭ５４等に記憶される。次に、前記交通機関情報検索手段１４２の動作に対応するＳＡ６において、前記交通機関情報サーバ２１の時刻情報データベース１３０及び／又は地図情報サーバ２２の地図情報データベース１３２からＳＡ３にて読み出された定期券情報に基づいて交通機関の時刻や地図等の情報が検索される。次に、ＳＡ７において、ＳＡ６にて検索された交通機関情報がＳＡ２にて読み出された識別情報と相互に関連付けられて前記ＲＡＭ５４等に記憶される。次に、ＳＡ８において、ＳＡ７にて記憶された交通機関の時刻に関する情報等に基づいて、利用者が用いるべき交通機関の最終時刻の所定時間前であるか否かが判断される。このＳＡ８の判断が否定されるうちは、判断が繰り返されることにより待機させられるが、ＳＡ８の判断が肯定される場合には、前記交通機関情報送信手段１４４の動作に対応するＳＡ９において、ＳＡ７にて前記ＲＡＭ５４等に記憶された交通機関に関する情報が前記ブルートゥース通信部６４等を介してその情報と関連付けられた識別情報に対応する前記携帯電話機
７０へ送信された後、本ルーチンが終了させられる。
【００４９】
図１０は、前記カラオケ装置１６のＣＰＵ５０による選曲予約制御について説明するフローチャートであり、所定の周期で繰り返し実行されるものである。
【００５０】
先ず、ＳＢ１において、前記携帯電話機７０からのリモコン信号又はブルートゥース信号による選曲入力が前記リモコン受信部６２又はブルートゥース通信部６４により受信されたか否かが判断される。このＳＢ１の判断が否定される場合には、それをもって本ルーチンが終了させられるが、ＳＢ１の判断が肯定される場合には、前記識別情報取得手段１４０の動作に対応するＳＢ２において、前記リモコン信号又はブルートゥース信号に含まれる携帯電話機７０の識別情報が取得される。次に、ＳＢ３において、前記ＲＡＭ５４においてＳＢ２にて取得された識別情報と対応付けられて記憶された交通機関の時刻に関する情報が照会される。次に、前記演奏予定時刻算出手段１４８の動作に対応するＳＢ４において、前記ＲＡＭ５４の予約曲テーブル５５の記憶内容等に基づいて新たな予約の対象となる演奏曲の演奏予定時刻が算出される。次に、ＳＢ５において、ＳＢ４にて算出された演奏予定時刻は、ＳＢ３にて照会された交通機関の最終時刻＋Ｔdis（例えば駅まで徒歩で行くのに要する時間）以降であるか否かが判断される。このＳＢ５の判断が肯定される場合には、前記予約曲テーブル５５への演奏曲の予約が禁止されると共に、予約不可を示す情報が前記ブルートゥース通信部６４等により予約を行った携帯電話機７０に送信された後、本ルーチンが終了させられるが、ＳＢ５の判断が否定される場合には、ＳＢ７において、予約に係る演奏曲の選曲番号が前記ＲＡＭ５４の予約曲テーブル５５に記憶された後、本ルーチンが終了させられる。以上の制御において、ＳＢ６及びＳＢ７が前記演奏予約制御手段１４６の動作に対応する。
【００５１】
このように、本実施例によれば、前記携帯電話機７０から送信される前記演奏曲に関する無線信号を受信する無線受信装置であるリモコン受信部６２、ブルートゥース通信部６４と、その携帯電話機７０に予め記憶された定期券情報を読み取る情報読取装置であるＩＣカードリーダ６６と、その携帯電話機７０の識別情報を取得する識別情報取得手段１４０（ＳＡ２、ＳＢ２）と、前記ＩＣカードリーダ６６により読み取られる定期券情報に基づいて交通機関に関する情報を検索する交通機関情報検索手段１４２（ＳＡ６）と、その交通機関情報検索手段１４２により検索された交通機関に関する情報を、前記識別情報取得手段１４０により取得された識別情報に対応する携帯電話機７０に送信する交通機関情報送信手段１４４（ＳＡ９）とを、有することから、携帯電話機７０を媒体として利用者毎の交通機関に関する情報を好適に通知できることに加え、カラオケ演奏を中断させるといった弊害を生じさせない。すなわち、場の雰囲気を良好に保ちつつ交通機関に関する情報を通知し得るカラオケ装置１６を提供することができる。
【００５２】
また、前記ＩＣカードリーダ６６は、前記携帯電話機７０からの無線信号の受信開始に際してその携帯電話機７０に予め記憶された定期券情報を読み取るものであるため、前記カラオケ装置１６の入力装置として利用される携帯電話機７０から簡便にその定期券情報を読み取ることができるという利点がある。
【００５３】
また、前記識別情報取得手段１４０は、前記携帯電話機７０からの無線信号の受信開始に際してその携帯電話機７０の識別情報を取得するものであるため、前記カラオケ装置１６の入力装置として利用される携帯電話機７０から簡便にその識別情報を取得できるという利点がある。
【００５４】
また、前記定期券情報は、前記携帯電話機７０に内蔵されたＩＣカード１０２に記憶されたものであり、前記カラオケ装置１６は、そのＩＣカード１０２に記憶された情報を非接触にて読み取るＩＣカードリーダを備えたものであるため、前記携帯電話機７０に記憶された定期券情報を実用的な態様で読み取ることができるという利点がある。
【００５５】
また、前記識別情報は、前記携帯電話機７０に内蔵されたＩＣカード１０２に記憶されたものであり、前記識別情報取得手段１４０は、前記ＩＣカードリーダ６６によりそのＩＣカード１０２から非接触にて前記携帯電話機７０の識別情報を取得するものであるため、前記携帯電話機７０の識別情報を実用的な態様で取得できるという利点がある。
【００５６】
また、前記識別情報取得手段１４０は、前記携帯電話機７０から送信される無線信号を介して前記リモコン受信部６２又はブルートゥース通信部６４によりその携帯電話機７０の識別情報を取得するものであるため、前記携帯電話機７０の識別情報を実用的な態様で取得できるという利点がある。
【００５７】
また、前記リモコン受信部６２又はブルートゥース通信部６４により受信される前記携帯電話機７０からの無線信号に応じて所定の演奏曲の演奏予約を行うと共に、前記交通機関情報検索手段１４２により検索された交通機関に関する情報に基づいて所定時刻以降に対応する演奏曲の予約を禁止する演奏予約制御手段１４６（ＳＢ６及びＳＢ７）を有するものであるため、前記交通機関情報検索手段１４２により検索された交通機関の時刻に応じて演奏予定時刻が所定時刻以降になる演奏曲の予約を禁止するというように、交通機関に関する情報を間接的且つ実用的な態様で利用者に通知できるという利点がある。
【００５８】
また、前記カラオケ装置１６は、所定の通信回線１８を介して情報の送受信を行う通信カラオケ装置であり、前記交通機関情報検索手段１４２は、前記通信回線１８に接続された交通機関情報サーバ２１から前記ＩＣカードリーダ６６により読み取られた定期券情報に基づく交通機関の時刻に関する情報を検索するものであるため、利用者毎の交通機関の時刻に関する情報を実用的な態様で通知できるという利点がある。
【００５９】
また、前記交通機関情報検索手段１４２は、前記通信回線１８に接続された地図情報サーバ２２から前記ＩＣカードリーダ６６により読み取られた定期券情報に基づく交通機関の地図に関する情報を検索するものであるため、利用者毎の交通機関の地図に関する情報を実用的な態様で通知できるという利点がある。
【００６０】
また、前記交通機関情報検索手段１４２は、前記カラオケ装置１６の設置された位置情報に基づいて前記交通機関に関する情報を検索するものであるため、前記カラオケ装置１６の位置は地理的に固定されているため、前記携帯電話機７０にＧＰＳ（Global Positioning System）等の位置検索装置が内蔵されていない場合であっても、利用者毎の交通機関の時刻や地図に関する情報を実用的な態様で通知できるという利点がある。
【００６１】
以上、本発明の好適な実施例を図面に基づいて詳細に説明したが、本発明はこれに限定されるものではなく、更に別の態様においても実施される。
【００６２】
例えば、前述の実施例において、前記交通機関情報検索手段１４２は、前記通信回線１８に接続された交通機関情報サーバ２１の時刻情報データベース１３０や地図情報サーバ２２の地図情報データベース１３２等から直接に情報を検索するものであったが、本発明はこれに限定されるものではなく、例えば前記カラオケ装置１６とは別のサーバ等に機能的に備えられた検索エンジンを介して前述の検索を行うものであってもよい。すなわち、前記カラオケ装置１６に備えられた交通機関情報検索手段１４２が必ずしもすべての検索を行うものでなくてもよく、その検索処理の一部を他の装置が行うものであってもよい。更には、前記交通機関情報検索手段１４２は、他の装置に備えられた検索エンジンに前記ＩＣカードリーダ６６により読み出された定期券情報を送信すると共に、その定期券情報に基づいて検索を行う旨の指令（要求）を出すのみの機能であっても構わない。
【００６３】
また、前述の実施例において、前記携帯電話機７０の制御部７２には交通機関情報表示制御手段１０６が備えられており、前記交通機関情報送信手段１４４は、その交通機関情報表示制御手段１０６を介して前記表示部７８に所定の交通機関情報映像を表示させるための情報を前記携帯電話機７０に送信するものであったが、例えば前記交通機関情報送信手段１４４が前記携帯電話機７０へ電子メールの形式でテキスト情報及び画像情報として前記交通機関に関する情報を送信する態様等では、前記交通機関情報表示制御手段１０６は必ずしも携帯電話機７０に備えられていなくともよい。また、斯かる態様においては、前記カラオケ装置１６、携帯電話機７０に備えられていたブルートゥース通信部６４、１００もまた必ずしも設けられなくともよい。
【００６４】
以上、本発明の好適な実施例を図面に基づいて詳細に説明したが、本発明はこれに限定されるものではなく、更に別の態様においても実施される。
【図面の簡単な説明】
【００６５】
【図１】本発明が好適に適用されるカラオケシステムを説明する概略図である。
【図２】本発明の一実施例であるカラオケ装置の構成を例示するブロック線図である。
【図３】図２のカラオケ装置の入力装置として用いられ得る携帯電話機の構成を例示するブロック線図である。
【図４】図１のカラオケシステムに備えられたカラオケサーバの構成を説明するブロック線図である。
【図５】図１のカラオケシステムに備えられた交通機関情報サーバの構成を説明するブロック線図である。
【図６】図１のカラオケシステムに備えられた地図情報サーバの構成を説明するブロック線図である。
【図７】図２のカラオケ装置のＣＰＵに備えられた制御機能の要部を説明する機能ブロック線図である。
【図８】図２のカラオケ装置から送信される交通機関に関する情報に応じて図３の携帯電話機の表示部に表示される交通機関情報映像を例示する図である。
【図９】図２のカラオケ装置のＣＰＵによる交通機関情報通知制御について説明するフローチャートである。
【図１０】図２のカラオケ装置のＣＰＵによる選曲予約制御について説明するフローチャートである。
【符号の説明】
【００６６】
１６：カラオケ装置
１８：通信回線
２１：交通機関情報サーバ
２２：地図情報サーバ
６２：リモコン受信部（無線受信装置）
６４：ブルートゥース通信部（無線受信装置）
６６：ＩＣカードリーダ（情報読取装置、ＩＣカード読取装置）
７０：携帯電話機
１０２：ＩＣカード
１４０：識別情報取得手段
１４２：交通機関情報検索手段
１４４：交通機関情報送信手段
１４６：演奏予約制御手段
【図１】
2007256686.tif 000003
【図２】
2007256686.tif 000004
【図３】
2007256686.tif 000005
【図４】
2007256686.tif 000006
【図５】
2007256686.tif 000007
【図６】
2007256686.tif 000008
【図７】
2007256686.tif 000009
【図８】
2007256686.tif 000010
【図９】
2007256686.tif 000011
【図１０】
2007256686.tif 000012